(57)【要約】【課題】  外径寸法のみならず内径寸法をも計測できる熱間円筒形ワークの形状計測装置、及びこれを用いた円筒体の熱間鍛造方法を提供する。【解決手段】  熱間円筒形ワークの円環形正面視形状を撮像する撮像装置と、撮像装置を左右方向に移動させる移動機構と、撮像装置に撮像指令を与え移動機構に移動指令を与えて、一定角度回転される毎の熱間円筒形ワークの円環形正面視形状を撮像してその左右の画像を得て格納する画像撮像部と、前記左画像と前記右画像とについて、それぞれ、熱間円筒形ワークの円環形正面視形状における特徴点を検出する特徴点検出部と、前記左画像での前記特徴点と該特徴点に対応する前記右画像での前記特徴点とから、ステレオ法に基づいて熱間円筒形ワークの径寸法計測値を求める径寸法算出部と、熱間円筒形ワークの全周にわたる形状を示す径寸法情報を得る全体形状算出部と、を備える。【選択図】  図３
2005326178.tif 000002
【特許請求の範囲】
【請求項１】
水平姿勢、かつ回転可能に支持され、一定角度毎に回転される高温の熱間円筒形ワークの形状計測装置であって、
赤外透過フィルタが装着され、前記熱間円筒形ワークの円環形正面視形状を撮像する撮像装置と、
前記熱間円筒形ワークに対する視差が生じるように前記撮像装置を左右方向に所定距離往復移動させる移動機構と、
前記撮像装置に撮像指令を与えるとともに前記移動機構に移動指令を与えて、一定角度回転される毎の前記熱間円筒形ワークの円環形正面視形状を撮像してその左右の画像を得て格納する画像撮像部と、
前記左画像と前記右画像とについて、それぞれ、特徴点検出用ウィンドウを設定して前記熱間円筒形ワークの円環形正面視形状における特徴点を検出する特徴点検出部と、
前記左画像での前記特徴点と該特徴点に対応する前記右画像での前記特徴点とから、ステレオ法に基づいて前記熱間円筒形ワークの径寸法計測値を求める径寸法算出部と、
前記熱間円筒形ワークの一定角度回転毎に求められた前記径寸法計測値を記憶して、前記熱間円筒形ワークの全周にわたる形状を示す径寸法情報を得る全体形状算出部と、
を備えたことを特徴とする熱間円筒形ワークの形状計測装置。
【請求項２】
前記熱間円筒形ワークの前記径寸法計測値が外径寸法及び内径寸法であることを特徴とする請求項１記載の熱間円筒形ワークの形状計測装置。
【請求項３】
水平姿勢、かつ回転可能に支持され、一定角度毎に回転される高温の熱間円筒形ワークの形状計測装置であって、
赤外透過フィルタが装着されて、前記熱間円筒形ワークの円環形正面視形状を撮像する第１の撮像装置と、
前記熱間円筒形ワークに対する視差が生じるように前記第１の撮像装置に対してその右側に所定距離離れた位置に配置され、赤外透過フィルタが装着されて、前記熱間円筒形ワークの円環形正面視形状を撮像する第２の撮像装置と、
前記第１の撮像装置と前記第２の撮像装置とに同時に撮像指令を与えて、一定角度回転される毎の前記熱間円筒形ワークの円環形正面視形状をステレオ撮像して前記第１の撮像装置による左画像と前記第２の撮像装置による右画像とを得て格納する画像撮像部と、
前記左画像と前記右画像とについて、それぞれ、特徴点検出用ウィンドウを設定して前記熱間円筒形ワークの円環形正面視形状における特徴点を検出する特徴点検出部と、
前記左画像での前記特徴点と該特徴点に対応する前記右画像での前記特徴点とから、ステレオ法に基づいて前記熱間円筒形ワークの径寸法計測値を求める径寸法算出部と、
前記熱間円筒形ワークの一定角度回転毎に求められた前記径寸法計測値を記憶して、前記熱間円筒形ワークの全周にわたる形状を示す径寸法情報を得る全体形状算出部と、
を備えたことを特徴とする熱間円筒形ワークの形状計測装置。
【請求項４】
前記熱間円筒形ワークの前記径寸法計測値が外径寸法及び内径寸法であることを特徴とする請求項３記載の熱間円筒形ワークの形状計測装置。
【請求項５】
水平姿勢、かつ回転可能に支持した高温の熱間円筒形ワークに、プレス機による加圧工程と加圧後に一定角度回転させる工程とを繰り返し施すことにより、円筒体品を得る熱間鍛造を行うに際し、請求項１記載の熱間円筒形ワークの形状計測装置を用いて熱間円筒形ワークの径寸法を計測しつつ、その計測値に基づいて熱間鍛造を行うことを特徴とする円筒体の熱間鍛造方法。
【請求項６】
水平姿勢、かつ回転可能に支持した高温の熱間円筒形ワークに、プレス機による加圧工程と加圧後に一定角度回転させる工程とを繰り返し施すことにより、円筒体品を得る熱間鍛造を行うに際し、請求項３記載の熱間円筒形ワークの形状計測装置を用いて熱間円筒形ワークの径寸法を計測しつつ、その計測値に基づいて熱間鍛造を行うことを特徴とする円筒体の熱間鍛造方法。
【発明の詳細な説明】
【技術分野】
【０００１】
本発明は、熱間円筒形ワークの形状計測装置及びこれを用いた円筒体の熱間鍛造方法に関するものである。
【背景技術】
【０００２】
熱間鍛造作業においては、高温（一般に９００℃以上）に加熱された熱間鍛造用の鋼製のワークをプレス機で加圧することで、目的の形状の熱間鍛造品を得るようにしている。熱間鍛造円筒体品を製造する場合は、熱間円筒形ワークは水平姿勢にて、かつ回転可能に支持された状態でプレス機の下方に位置される。そして、プレス機による熱間円筒形ワークへの加圧工程と、加圧後（すなわち、プレス機の押し型を上昇させた後）に熱間円筒形ワークを一定角度回転させる工程とを、熱間円筒形ワークの外径、内径などが所定値になるまで繰り返すことにより、熱間鍛造を行っている。なお、熱間円筒形ワークは、ワーク中空部に通した円柱状の芯金によって水平姿勢に支持され、チェーン等で芯金を回転させることで一定角度回転されるようになっている。
【０００３】
このため、熱間鍛造作業中は、熱間円筒形ワークの外径、内径などの値を計測しその値が適正か否かを判断しながら、熱間鍛造を行うことが重要である。また、高温に加熱された熱間円筒形ワークの温度が時間経過とともに下がってくるため、できるだけ迅速な熱間鍛造作業が求められる。従来、熱間円筒形ワークの外径寸法などの計測は、作業者が熱間円筒形ワークに近づきパス（機械式寸法計測器）を接触させて測ることで行われてきた。しかし、この方法では、酷暑作業となり、また作業者による計測値のばらつきが大きかった。
【０００４】
一方、従来、熱間鍛造などに供される高温の被測定物を対象とし、画像信号を出力する撮像装置（ＩＴＶカメラ、ＣＣＤカメラなどの固体カメラ）を用いて、前記被測定物の形状を非接触で測定するようにした測定装置、あるいは測定方法が提案されている。
【０００５】
例えば、特開平８−３０４０３７号公報（特許文献１）には、１台の撮像装置を備え、回転機構で水平姿勢に支持されて一定角度毎に回転される鍛造シャフトの胴部外周面に投光されたスリット光照射部の映像を一定角度回転する毎に撮像装置で撮影して取り込み、取り込んだ映像から鍛造シャフトの各回転角度毎の部分断面形状を求め、これらの部分断面形状の重複部分が最も良く一致するように接続して鍛造シャフトの全体断面形状を得て、鍛造シャフトの外径寸法、芯ずれ、真円度を測定するようにした鍛造シャフトの測定装置が提案されている。
【０００６】
また、特開平１−２３９４０６号公報（特許文献２）には、水平姿勢に支持された高温の中空円筒物体が所定角度回転される毎に、２台の撮像装置によって中空円筒物体の胴部外周面の一部分を相互がその一部において重なるように撮像して中空円筒物体の部分断面形状を得、これら中空円筒物体の回転につれて撮像領域が一部が重なり合う中空円筒物体の部分断面形状を合成することにより、中空円筒物体が一回転したときの全周にわたる全断面形状を得るようにした形状測定方法が提案されている。
【特許文献１】特開平８−３０４０３７号公報（［０００５］〜［００１３］、図１）
【特許文献２】特開平１−２３９４０６号公報（第３−６頁、第１図）
【発明の開示】
【発明が解決しようとする課題】
【０００７】
しかし前述したこれらの従来技術では、撮像装置を用いることにより、高温の被測定物についてその外径寸法などの外周形状情報を非接触で得ることができるものの、内径寸法などの内周形状情報は得ることができない。このため、円筒体の熱間鍛造に際しては外径寸法のみならず内径寸法をも計測し、それらの計測値に基づいて熱間鍛造を進行させて行く必要があることから、前述した従来技術は、いずれも、熱間鍛造用の熱間円筒形ワークの形状計測には適切ではないものであった。
【０００８】
また、熱間鍛造においては、鍛造の進行に伴って行うプレス圧下量やワーク回転角度の設定や、鍛造終了時期の見極めのために、熱間ワークの全周にわたる形状を示す寸法情報が重要となる。前述の従来技術では、いずれも、外径寸法を計測するためには、プレス機による加圧をやめた状態で、計測しながら熱間ワークを一定角度回転の繰り返しによって一回転させる必要があり、その間にも、熱間ワークの温度が自然冷却で低下して行き、多数の回数行う計測に手間取ると、熱間ワークの温度が鍛造可能な限界温度を下回ってしまう事態が生じるおそれがある。
【０００９】
そこで本発明の課題は、熱間鍛造などに供され、一定角度毎に回転される高温の熱間円筒形ワークについて外径寸法のみならず内径寸法をも非接触で計測することができ、また、ワーク一回転でなく半周回転することで熱間円筒形ワークの全周にわたる形状を示す外径寸法と内径寸法を得ることができる熱間円筒形ワークの形状計測装置及びこれを用いた円筒体の熱間鍛造方法を提供することにある。
【課題を解決するための手段】
【００１０】
前記課題を解決するために、本発明は次の技術的手段を講じている。
【００１１】
請求項１の発明は、水平姿勢、かつ回転可能に支持され、一定角度毎に回転される高温の熱間円筒形ワークの形状計測装置であって、赤外透過フィルタが装着され、前記熱間円筒形ワークの円環形正面視形状を撮像する撮像装置と、前記熱間円筒形ワークに対する視差が生じるように前記撮像装置を左右方向に所定距離往復移動させる移動機構と、前記撮像装置に撮像指令を与えるとともに前記移動機構に移動指令を与えて、一定角度回転される毎の前記熱間円筒形ワークの円環形正面視形状を撮像してその左右の画像を得て格納する画像撮像部と、前記左画像と前記右画像とについて、それぞれ、特徴点検出用ウィンドウを設定して前記熱間円筒形ワークの円環形正面視形状における特徴点を検出する特徴点検出部と、前記左画像での前記特徴点と該特徴点に対応する前記右画像での前記特徴点とから、ステレオ法に基づいて前記熱間円筒形ワークの径寸法計測値を求める径寸法算出部と、前記熱間円筒形ワークの一定角度回転毎に求められた前記径寸法計測値を記憶して、前記熱間円筒形ワークの全周にわたる形状を示す径寸法情報を得る全体形状算出部と、を備えたことを特徴とする熱間円筒形ワークの形状計測装置である。
【００１２】
請求項２の発明は、請求項１記載の熱間円筒形ワークの形状計測装置において、前記熱間円筒形ワークの前記径寸法計測値が外径寸法及び内径寸法であることを特徴とするものである。
【００１３】
請求項３の発明は、水平姿勢、かつ回転可能に支持され、一定角度毎に回転される高温の熱間円筒形ワークの形状計測装置であって、赤外透過フィルタが装着されて、前記熱間円筒形ワークの円環形正面視形状を撮像する第１の撮像装置と、前記熱間円筒形ワークに対する視差が生じるように前記第１の撮像装置に対してその右側に所定距離離れた位置に配置され、赤外透過フィルタが装着されて、前記熱間円筒形ワークの円環形正面視形状を撮像する第２の撮像装置と、前記第１の撮像装置と前記第２の撮像装置とに同時に撮像指令を与えて、一定角度回転される毎の前記熱間円筒形ワークの円環形正面視形状をステレオ撮像して前記第１の撮像装置による左画像と前記第２の撮像装置による右画像とを得て格納する画像撮像部と、前記左画像と前記右画像とについて、それぞれ、特徴点検出用ウィンドウを設定して前記熱間円筒形ワークの円環形正面視形状における特徴点を検出する特徴点検出部と、前記左画像での前記特徴点と該特徴点に対応する前記右画像での前記特徴点とから、ステレオ法に基づいて前記熱間円筒形ワークの径寸法計測値を求める径寸法算出部と、前記熱間円筒形ワークの一定角度回転毎に求められた前記径寸法計測値を記憶して、前記熱間円筒形ワークの全周にわたる形状を示す径寸法情報を得る全体形状算出部と、を備えたことを特徴とする熱間円筒形ワークの形状計測装置である。
【００１４】
請求項４の発明は、請求項３記載の熱間円筒形ワークの形状計測装置において、前記熱間円筒形ワークの前記径寸法計測値が外径寸法及び内径寸法であることを特徴とするものである。
【００１５】
請求項５の発明は、水平姿勢、かつ回転可能に支持した高温の熱間円筒形ワークに、プレス機による加圧工程と加圧後に一定角度回転させる工程とを繰り返し施すことにより、円筒体品を得る熱間鍛造を行うに際し、請求項１記載の熱間円筒形ワークの形状計測装置を用いて熱間円筒形ワークの径寸法を計測しつつ、その計測値に基づいて熱間鍛造を行うことを特徴とする円筒体の熱間鍛造方法である。
【００１６】
請求項６の発明は、水平姿勢、かつ回転可能に支持した高温の熱間円筒形ワークに、プレス機による加圧工程と加圧後に一定角度回転させる工程とを繰り返し施すことにより、円筒体品を得る熱間鍛造を行うに際し、請求項３記載の熱間円筒形ワークの形状計測装置を用いて熱間円筒形ワークの径寸法を計測しつつ、その計測値に基づいて熱間鍛造を行うことを特徴とする円筒体の熱間鍛造方法である。
【発明の効果】
【００１７】
請求項１、２の発明による熱間円筒形ワークの形状計測装置は、一定角度回転される毎の熱間円筒形ワークについて、１台の撮像装置を移動させて、熱間円筒形ワークの円環形をなす正面視形状を左右の異なる位置から撮像し、得られたその左画像と右画像とにおける対応する特徴点をそれぞれ検出し、これらの対応する特徴点からステレオ法に基づいて熱間円筒形ワークの径寸法計測値を求めるように構成されている。このように熱間円筒形ワークの円環形正面視形状を撮像し、ステレオ法に基づいて熱間円筒形ワークの径寸法を計測するようにしたので、高温の熱間円筒形ワークについて外径寸法のみならず内径寸法をも計測することができ、また、熱間円筒形ワークが一定角度回転を繰り返して一回転でなく半周回転することで熱間円筒形ワークの全周にわたる形状を示す径寸法情報を得ることができる。
【００１８】
請求項３、４の発明による熱間円筒形ワークの形状計測装置は、一定角度回転される毎の熱間円筒形ワークについて、２台の撮像装置を用いて、熱間円筒形ワークの円環形をなす正面視形状をステレオ撮像し、第１の撮像装置による左画像と第２の撮像装置による右画像とにおける対応する特徴点をそれぞれ検出し、これらの対応する特徴点からステレオ法に基づいて熱間円筒形ワークの径寸法計測値を求めるように構成されている。よって、高温の熱間円筒形ワークについて外径寸法のみならず内径寸法をも計測することができるとともに、熱間円筒形ワークが一回転でなく半周回転することで熱間円筒形ワークの全周にわたる形状を示す径寸法情報を得ることができる。また、これらの効果に加え、撮像装置を移動させることなく２台の撮像装置によるステレオ撮像が可能なことから、リアルタイム計測を行うことができる。これにより、熱間鍛造時の形状計測に適用された場合、撮像装置の移動時間なしでリアルタイムに計測を行うことができ、熱間円筒形ワークの計測用の撮像を行うために、プレス機による熱間円筒形ワークの加圧工程、あるいは熱間円筒形ワークを一定角度回転させる工程の開始を遅らせなくてすむ。
【００１９】
請求項５、６の発明による円筒体の熱間鍛造方法では、一定角度回転が繰り返されて熱間円筒形ワークが半周回転する毎に、熱間円筒形ワークの全周にわたる形状を示す径寸法情報を知ることができる。したがって、これらの径寸法情報に基づいて、プレス機のオペレータによるプレス圧下量やワーク回転角度の設定、また、鍛造終了時期の見極めを行うことができるので、寸法精度の良い熱間鍛造円筒体品を得ることができる。
【００２０】
また、請求項５の発明による円筒体の熱間鍛造方法では、前述の効果に加え、計測のために１台の撮像装置を数秒間程度移動させることですむことから、熱間円筒形ワークの撮像後に行う、熱間円筒形ワークを一定角度回転させる工程、あるいはプレス機による熱間円筒形ワークの加圧工程の開始を極めてわずか遅らせることですみ、生産性良く熱間鍛造を行うことができる。また、請求項６の発明による円筒体の熱間鍛造方法では、前述の効果に加え、２台の撮像装置によるステレオ撮像によってリアルタイム計測を行うことができるので、形状計測のために熱間鍛造にかかる工程が遅れることがなく、より生産性良く熱間鍛造を行うことができる。
【発明を実施するための最良の形態】
【００２１】
以下、図面を参照して本発明の実施の形態について説明する。図１は本発明が適用される円筒体の熱間鍛造を説明するための図であって、その（ａ）は側面図、その（ｂ）は正面図である。図２は図１と同じく、本発明が適用される円筒体の熱間鍛造を説明するための図である。
【００２２】
図１に示すように、高温（一般に９００℃以上）に加熱された鋼製の熱間円筒形ワーク２１に芯金２２を通し、この状態で芯金支持台（受台）２３上に載置することにより、熱間円筒形ワーク２１は、水平姿勢、かつ回転可能に支持されており、熱間円筒形ワーク２１をワーク外周面側から加圧するプレス機２４の下方に位置されている。芯金２２はワーク回転用チェーン２５によって回転可能でおり、ワーク回転用チェーン２５が駆動すると、それにより熱間円筒形ワーク２１も回転するようになっている。円筒体品の熱間鍛造では、プレス機２４の押し型による熱間円筒形ワーク２１の加圧工程と、ワーク回転用チェーン２５を駆動して熱間円筒形ワーク２１を一定角度回転させる工程とを繰り返して、目標の外径寸法、内径寸法、真円度を有する円筒体品を得る熱間鍛造を行う（図２参照）。
【００２３】
図３は本発明の第１実施形態による熱間円筒形ワークの形状計測装置の全体構成を示す図である。
【００２４】
図３に示すように、空間座標系Ｘ−Ｙ−Ｚが設定されおり、熱間円筒形ワーク２１は、その軸心線がＺ軸方向（前後軸方向）になるように支持されている。７は熱間円筒形ワーク２１の一方の端部側の方に配置され、赤外透過フィルタ７ａが装着され、熱間円筒形ワーク２１の円環形正面視形状を撮像するための撮像装置としてのＣＣＤカメラである。８は移動機構であり、熱間円筒形ワーク２１に対する視差が生じるようにＣＣＤカメラ７をＸ軸方向（左右軸方向）に一定距離Ｌ移動させるものである。ＣＣＤカメラ７は、第１撮像位置において熱間円筒形ワーク２１の円環形正面視形状を撮像した左画像ＶＬを得、次いで、架台上に設けられた移動機構８により直ちに、前記第１撮像位置によりも右側（図３における紙面奥側）に位置するようにＸ軸方向に一定距離Ｌだけ移動され、その第２撮像位置において熱間円筒形ワーク２１の円環形正面視形状を撮像した右画像ＶＲを得、しかる後、前記移動機構８により直ちに前記第１撮像位置に戻されるようになっている。
【００２５】
この移動機構８は、図示省略しているが、パルスモータによって回転駆動されるボールねじと、これに噛合しているボールねじネットに連結されたスライドプレートと、このスライドプレートをＸ軸方向に案内するガイドなどにより構成されている。ＣＣＤカメラ７は、移動機構８のスライドプレートに取り付けられている。
【００２６】
２は画像撮像部、３は特徴点検出部、４は径寸法算出部、５は全体形状算出部、６は表示部をそれぞれ示す。これら後述する、画像撮像部２、特徴点検出部３、径寸法算出部４、全体形状算出部５及び表示部６は、画像計測部１を構成し、この画像計測部１は、パーソナルコンピュータにより構成されている。
【００２７】
図４は図３における赤外透過フィルタが装着されたＣＣＤカメラによる熱間円筒形ワークの円環形正面視形状の画像を説明するための模式図である。
【００２８】
ＣＣＤカメラ７のレンズには、前述したように赤外透過フィルタ７ａが装着されている。これにより、レンズに入る可視光をできるだけカットし、高温の熱間円筒形ワーク２１からの赤外光を多く取り込むことができるので、画像として背景の明るさを抑えて熱間円筒形ワーク２１の明るさがより際立つような画像を得ることができる。図４に模式的に示すように、背景は暗く、高温の熱間円筒形ワーク２１は明るくなる。この場合、熱間円筒形ワーク２１の一方の端部側の近くにＣＣＤカメラ７を配置しているので、通常、熱間円筒形ワーク２１の周端面部（周縁部）２１ａのみならず内周面部２１ｂも撮像される。この内周面部２１ｂは、相対向する壁面側からの輻射熱のために温度が下がりにくい。その結果、内周面部２１ｂは、周端面部２１ａより温度が高く、得られる熱間円筒形ワーク２１の画像においても、図４に示すように、内周面部２１ｂはその明るさレベルが周端面部２１ａよりも高くなる。なお、図４に示すように、内周については、手前側（ＣＣＤカメラ７側）の円形をなす内周縁の像のみならず、奥側（ＣＣＤカメラ７の反対側）の円形をなす内周縁の像も捉えることができる。
【００２９】
前記の画像計測部１の各部の各々について以下に説明する。
【００３０】
画像撮像部２は、ＣＣＤカメラ７に撮像指令を与えるとともに移動機構８に移動指令を与えて、一定角度回転される毎の熱間円筒形ワーク２１の円環形正面視形状を撮像してその左画像ＶＬと右画像ＶＲを得て格納するものである。画像撮像部２は、画像ＶＬ，ＶＲを格納する画像入力ボードや、移動機構８の前記パルスモータのドライバに指令を与える移動機構制御部などにより構成されている。
【００３１】
図５は外径エッジ検出ウィンドウの説明図であって、その（ａ）は左画像ＶＬに設定された外径エッジ検出ウィンドウＷＰL1，ＷＱL1の説明図、その（ｂ）は右画像ＶＲに設定された外径エッジ検出ウィンドウＷＰR1，ＷＱR1の説明図である。図６は内径エッジ検出ウィンドウの説明図であって、その（ａ）は左画像ＶＬに設定された内径エッジ検出ウィンドウＷＰL2，ＷＱL2の説明図、その（ｂ）は右画像ＶＲに設定された内径エッジ検出ウィンドウＷＰR2，ＷＱR2の説明図である。図７は奥側内径エッジ検出ウィンドウの説明図であって、その（ａ）は左画像ＶＬに設定された奥側内径エッジ検出ウィンドウＷＰL3，ＷＱL3の説明図、その（ｂ）は右画像ＶＲに設定された奥側内径エッジ検出ウィンドウＷＰR3，ＷＱR3の説明図である。
【００３２】
特徴点検出部３は、ＣＣＤカメラ７によって撮像された左画像ＶＬと右画像ＶＲとについて、それぞれ、特徴点検出用ウィンドウを設定して熱間円筒形ワーク２１の円環形正面視形状における特徴点を検出するものである。すなわち、図５（ａ）に示すように、左画像ＶＬにおいて特徴点検出用ウィンドウとしての外径エッジ検出ウィンドウＷＰL1，ＷＱL1を設定する。左画像ＶＬにおいて、前記ウィンドウＷＰL1は外径左エッジ点（外径左最外点）ＰL1を検出するためのものであり、前記ウィンドウＷＱL1は外径右エッジ点（外径右最外点）ＱL1を検出するためのものである。同様にして、図５（ｂ）に示すように、右画像ＶＲにおいて特徴点検出用ウィンドウとしての外径エッジ検出ウィンドウＷＰR1，ＷＱR1を設定する。右画像ＶＲにおいて、前記ウィンドウＷＰR1は外径左エッジ点ＰR1を検出するためのものであり、前記ウィンドウＷＱR1は外径右エッジ点ＱR1を検出するためのものである。
【００３３】
また、図６（ａ）に示すように、左画像ＶＬにおいて特徴点検出用ウィンドウとしての内径エッジ検出ウィンドウＷＰL2，ＷＱL2を設定する。左画像ＶＬにおいて、前記ウィンドウＷＰL2は内径左エッジ点（内径左最外点）ＰL2を検出するためのものであり、前記ウィンドウＷＱL2は内径右エッジ点（内径右最外点）ＱL2を検出するためのものである。同様にして、図６（ｂ）に示すように、右画像ＶＲにおいて特徴点検出用ウィンドウとしての内径エッジ検出ウィンドウＷＰR2，ＷＱR2を設定する。右画像ＶＲにおいて、前記ウィンドウＷＰR2は内径左エッジ点ＰR2を検出するためのものであり、前記ウィンドウＷＱR2は内径右エッジ点ＱR2を検出するためのものである。
【００３４】
さらに、図７（ａ）に示すように、左画像ＶＬにおいて特徴点検出用ウィンドウとしての奥側内径エッジ検出ウィンドウＷＰL3，ＷＱL3を設定する。左画像ＶＬにおいて、前記ウィンドウＷＰL3は奥側内径左エッジ点（奥側内径左最外点）ＰL3を検出するためのものであり、前記ウィンドウＷＱL3は奥側内径右エッジ点（奥側内径右最外点）ＱL3を検出するためのものである。同様にして、図７（ｂ）に示すように、右画像ＶＲにおいて特徴点検出用ウィンドウとしての奥側内径エッジ検出ウィンドウＷＰR3，ＷＱR3を設定する。右画像ＶＲにおいて、前記ウィンドウＷＰR3は奥側内径左エッジ点ＰR3を検出するためのものであり、前記ウィンドウＷＱR3は奥側内径右エッジ点ＱR3を検出するためのものである。
【００３５】
図８は左画像ＶＬに設定された外径エッジ検出ウィンドウＷＰL1における外径左エッジ点ＰL1の検出を説明するための図である。
【００３６】
特徴点検出部３では、まず、左画像ＶＬについて、前記の外径エッジ検出ウィンドウＷＰL1，ＷＱL1を設定して、熱間円筒形ワーク２１の円環形正面視形状における特徴点としての外径左エッジ点ＰL1と外径右エッジ点ＱL1とを検出する。この特徴点検出について次に説明する。この特徴点検出は、プログラムされたパーソナルコンピュータにより実施されるようになっている。
【００３７】
外径エッジ検出ウィンドウＷＰL1，ＷＱL1内においては、背景が暗く、熱間円筒形ワーク２１の周端面部２１ａは明るい。すなわち、ウィンドウＷＰL1内の外径左エッジ点ＰL1については、外周縁を境としてその左側が暗く、右側が明るいので、以下の（１）から（４）の画像処理手順にて、外径左エッジ点ＰL1を検出する。
【００３８】
（１）外径エッジ検出ウィンドウＷＰL1内の画像データに対し、横方向の明暗を検出する横方向ソーベルフィルタを適用し、図８に示すような、微分画像を生成する。表１に横方向ソーベルフィルタの係数（重み付け用の値）を示す。
【００３９】
【表１】
2005326178.tif 000003
【００４０】
（２）微分画像に対し、水平方向に走査して最大値検索を行い、図８に示すように、ピーク点列を生成する。（３）このピーク点列に対し、５次関数（Ｙ＝ａＸ5＋ｂＸ4＋ｃＸ3＋ｄＸ2＋ｅＸ＋ｆ）による近似を行ってピーク点近似曲線を求める。なお、この場合、図８に示す座標系Ｘ−Ｙは、図３における座標系のＸ−Ｙ面とは無関係のものである。（４）そして、求めた前記ピーク点近似曲線の最左端を外径左エッジ点ＰL1とする。
【００４１】
次に、ウィンドウＷＱL1内の外径右エッジ点ＱL1については、ウィンドウＷＱL1内における外周縁を境として左側が明るく、右側が暗いので、以下の（１）から（４）の画像処理手順にて、外径右エッジ点ＱL1を検出する。
【００４２】
（１）外径エッジ検出ウィンドウＷＱL1内の画像データに対し、横方向の明暗を検出する横方向ソーベルフィルタを適用し、微分画像を生成する。（２）微分画像に対し、水平方向に走査して最小値検索を行い、下向きに凸のピーク点列を生成する。（３）このピーク点列に対し、５次関数（Ｙ＝ａＸ5＋ｂＸ4＋ｃＸ3＋ｄＸ2＋ｅＸ＋ｆ）による近似を行ってピーク点近似曲線を求める。（４）そして、求めた前記ピーク点近似曲線の最右端を外径右エッジ点ＱL1とする。
【００４３】
このように、各エッジ検出ウィンドウＷＰL1，ＷＱL1によって、「暗→明」エッジ（境界）を検出するのか、逆に「明→暗」エッジを検出するのかにより、ソーベルフィルタによる微分画像に対して最小値検索を行うのか、あるいは最大値検索を行うのかが異なる。表２に、外径、内径及び奥側内径の各エッジ検出ウィンドウ（図５〜図７参照）においての、「暗→明」エッジ検出と「明→暗」エッジ検出を示す。
【００４４】
【表２】
2005326178.tif 000004
【００４５】
さて、このようにして、左画像ＶＬについて、外径左エッジ点ＰL1と外径右エッジ点ＱL1とを検出する。同様にして、右画像ＶＲについて、左画像ＶＬにおける前記外径左エッジ点ＰL1に対応する点として外径左エッジ点ＰR1と、左画像ＶＬにおける前記外径右エッジ点ＱL1に対応する点として外径右エッジ点ＱR1とを検出する。
【００４６】
また、同様に特徴点検出処理を行って、左画像ＶＬでの内径左エッジ点ＰL2と内径右エッジ点ＱL2とを検出するとともに、右画像ＶＲでの内径左エッジ点ＰR2と右画像ＶＲでの内径右エッジ点ＱR2とを検出する（図６参照）。また、同様に特徴点検出処理を行って、左画像ＶＬでの奥側内径左エッジ点ＰL3と左画像ＶＬでの奥側内径右エッジ点ＱL3とを検出するとともに、右画像ＶＲでの奥側内径左エッジ点ＰR3と右画像ＶＲでの奥側内径右エッジ点ＱR3を検出する（図７参照）。
【００４７】
径寸法算出部４は、左画像ＶＬでの前記外径エッジ点ＰL1，ＱL1と右画像ＶＲでの前記外径エッジ点ＰR1，ＱR1とから、ステレオ法に基づいて熱間円筒形ワーク２１の外径寸法Ｄ１を求めるものである。また、径寸法算出部４は、左画像ＶＬでの前記内径エッジ点ＰL2，ＱL2と右画像ＶＲでの前記内径エッジ点ＰR2，ＱR2とから、ステレオ法に基づいて熱間円筒形ワーク２１の内径寸法を求めるとともに、左画像ＶＬでの前記奥側内径エッジ点ＰL3，ＱL3と右画像ＶＲでの前記奥側内径エッジ点ＰR3，ＱR3とから、ステレオ法に基づいて熱間円筒形ワーク２１の奥側内径寸法を求めるものである。熱間円筒形ワーク２１の外径寸法Ｄ１、内径寸法Ｄ２及び奥側内径寸法Ｄ３の計算による求め方については、いずれも同じ手順なので、ここでは、外径寸法Ｄ１の求め方について以下に説明する。この径寸法算出は、プログラムされたパーソナルコンピュータにより実施されるようになっている。
【００４８】
図９は熱間円筒形ワークの外径寸法の求め方を説明するための図である。
【００４９】
熱間円筒形ワーク２１の外径寸法Ｄ１を算出するためには、まず、空間座標Ｘ−Ｚでの外径左エッジ点（外径左最外点）Ｐ（Ｘp，Ｚp）を算出する。図８において、いま、外径左エッジ点Ｐが左右の画像で観察されたとき、Ｌ（ｍｍ）：ＣＣＤカメラ７の移動距離、ｆ（ｍｍ）：カメラ焦点距離、α（ｒａｄ）：左画像ＶＬを撮像したときのカメラ光軸のずれ量、β（ｒａｄ）：右画像ＶＲを撮像したときのカメラ光軸のずれ量、ｘL（ｍｍ）：左画像ＶＬを撮像したときのＣＣＤ（カメラ撮像素子）面上における点Ｐの位置、ｘR（ｍｍ）：右画像ＶＲを撮像したときのＣＣＤ面上における点Ｐの位置、とする。
【００５０】
前述のように、いま、外径左エッジ点Ｐが前記第１撮像位置のＣＣＤカメラ７のＣＣＤ面上でｘLと観察され、前記第２撮像位置のＣＣＤカメラ７のＣＣＤ面上でｘRと観察されるとき、外径左エッジ点Ｐは、左カメラ座標系では式（１）で表される。式（１）において、ｘLは前記左画像ＶＬでの前述した外径左エッジ点ＰL1に対応する値であり、ｓはスケーリングパラメータである。左カメラ座標系とは、図９に示すように、左カメラ光軸方向をＺ′Lとし、ＣＣＤ面と平行をなし、かつ左カメラレンズ中心を通る方向をＸ′Lと設定する座標系である。
【００５１】
同様にして、外径左エッジ点Ｐは、右カメラ座標系では式（２）で表される。式（２）において、ｘRは前記右画像ＶＲでの前述した外径左エッジ点ＰR1に対応する値であり、ｔはスケーリングパラメータである。右カメラ座標系とは、図８に示すように、右カメラ光軸方向をＺ′Rとし、ＣＣＤ面と平行をなし、かつ右カメラレンズ中心を通る方向をＸ′Rと設定する座標系である。
【００５２】
【数１】
2005326178.tif 000005
【００５３】
そして、左カメラ座標系での前記ＸL，ＺLと空間座標Ｘ−Ｚでの外径左エッジ点Ｐ（Ｘp，Ｚp）、及び右カメラ座標系での前記ＸR，ＺRと空間座標Ｘ−Ｚでの外径左エッジ点Ｐ（Ｘp，Ｚp）は、式（３）の変換式で関係づけられる。
【００５４】
【数２】
2005326178.tif 000006
【００５５】
式（３）を展開すると式（４）となる。この式（４）におけるカッコ内の項それぞれを式（５）のようにおくと、式（４）は式（６）となる。
【００５６】
【数３】
2005326178.tif 000007
【００５７】
そして、未知数ｓ，ｔの連立方程式（６）を解くと、ｓ及びｔは、式（７）で得られる。よって、式（１），（７）から、ＸLとＺLの値は、それぞれ、式（８）で表される。
【００５８】
【数４】
2005326178.tif 000008
【００５９】
したがって、空間座標Ｘ−Ｚでの外径左エッジ点Ｐ（Ｘp，Ｚp）は、式（９）にて算出できる。
【００６０】
【数５】
2005326178.tif 000009
【００６１】
同様に、空間座標Ｘ−Ｚでの外径右エッジ点（外径右最外点）Ｑ（Ｘq，Ｚq）は、ｘ′L（ｍｍ）：左画像ＶＬを撮像したときのＣＣＤ面上における点Ｑの位置、ｘ′R（ｍｍ）：右画像ＶＲを撮像したときのＣＣＤ面上における点Ｑの位置、とすると、式（１０）にて算出できる。なお、前記ｘ′Lは左画像ＶＬでの前記した前述した外径右エッジ点ＱL1に対応する値であり、前記ｘ′Rは右画像ＶＲでの前述した外径右エッジ点ＱR1に対応する値である。
【００６２】
【数６】
2005326178.tif 000010
【００６３】
したがって、熱間円筒形ワーク２１の外径寸法Ｄ１は、式（１１）にて算出することができる。
【００６４】
【数７】
2005326178.tif 000011
【００６５】
このように、本実施形態では、プレス機２４によって加圧すること、プレス機２４の押し型を上昇させた状態で熱間円筒形ワーク２１を撮像すること、ワーク回転用チェーン２５によって熱間円筒形ワーク２１を一定角度回転させることが繰り返し行われ、径寸法算出部４は、一定角度回転される毎の熱間円筒形ワーク２１について、外径寸法Ｄ１、内径寸法Ｄ２及び奥側内径寸法Ｄ３が計測される。
【００６６】
そして、全体形状算出部５において、熱間円筒形ワーク２１の一定角度回転毎に求められた外径寸法Ｄ１、内径寸法Ｄ２及び奥側内径寸法Ｄ３の各径寸法計測値をワーク半周回転記憶して、熱間円筒形ワーク２１の全周にわたる形状を示す寸法情報を得るようにしている。この全体形状算出は、プログラムされたパーソナルコンピュータにより実施されるようになっている。
【００６７】
図１０は熱間円筒形ワークの全周にわたる径寸法情報の説明図である。
【００６８】
熱間円筒形ワーク２１が一定角度回転される毎に、その角度量を取り込むようにしている。１回に一定角度回転する熱間円筒形ワーク２１が１８０度回転すれば、熱間円筒形ワーク２１の全周にわたる形状を知ることができる。図１０に示す例では、熱間円筒形ワーク２１がＮ回の一定角度回転で１８０度回転し、第ｉ番目のときの外径寸法：Ｄ１ｉ、内径寸法：Ｄ２ｉ及び奥側内径寸法：Ｄ３ｉとすると、熱間円筒形ワーク２１の平均外径寸法Ｄ１ｍｅａｎ、平均内径寸法Ｄ２ｍｅａｎ、及び平均奥側内径寸法Ｄ３ｍｅａｎは、それぞれ、下記の式（１２），（１３），（１４）によって求められる。また、外径の真円度は、外径寸法Ｄ１ｉ，ｉ＝１〜Ｎにおける最大値Ｄ１ｍａｘと最小値Ｄ１ｍｉｎとにより知ることができる。同様にして、熱間円筒形ワーク２１の内径の真円度は、内径寸法Ｄ２ｉ，ｉ＝１〜Ｎにおける最大値Ｄ２ｍａｘと最小値Ｄ２ｍｉｎとにより知ることができ、また、奥側内径の真円度は、内径寸法Ｄ３ｉ，ｉ＝１〜Ｎにおける最大値Ｄ３ｍａｘと最小値Ｄ３ｍｉｎとにより知ることができる。なお、図１０では、図を見やすくするために、内径寸法と奥側内径寸法とに意識的に寸法差をもたせているが、実際には両者はほぼ一致するものである。
【００６９】
【数８】
2005326178.tif 000012
【００７０】
表示部６は、全体形状算出部５によって得られた熱間円筒形ワーク２１の全周にわたる径寸法情報を表示するものであり、例えばＣＲＴディスプレイで構成される。このＣＲＴディスプレイに、熱間円筒形ワーク２１についての、図１０に示すグラフ、前記の平均外径寸法Ｄ１ｍｅａｎ、平均内径寸法Ｄ２ｍｅａｎ、平均奥側内径寸法Ｄ３ｍｅａｎ、及び外径，内径，奥側内径の各真円度（最大値と最小値で定義）などが表示されるようになっている。
【００７１】
このように、この第１実施形態による形状計測装置は、一定角度回転される毎の熱間円筒形ワーク２１について、１台のＣＣＤカメラ７を移動させて、熱間円筒形ワーク２１の円環形正面視形状を左右の異なる位置から撮像し、得られたその左画像ＶＬと右画像ＶＲとにおける対応する特徴点（外径エッジ点，内径エッジ点，奥側内径エッジ点）をそれぞれ検出し、これらの対応する特徴点からステレオ法に基づいて熱間円筒形ワーク２１の径寸法計測値である外径寸法Ｄ１、内径寸法Ｄ２及び奥側内径寸法Ｄ３を求めるように構成されている。このように熱間円筒形ワーク２１の円環形正面視形状を撮像し、ステレオ法に基づいて熱間円筒形ワークの径寸法を計測するようにしたので、高温の熱間円筒形ワーク２１について外径寸法Ｄ１のみならず内径寸法Ｄ２，Ｄ３をも計測することができ、また、熱間円筒形ワーク２１が一定角度回転を繰り返して一回転でなく半周回転することで熱間円筒形ワーク２１の全周にわたる形状を示す径寸法情報（Ｄ１ｉ，Ｄ２ｉ，Ｄ３ｉ，ｉ＝１〜Ｎ、Ｄ１ｍｅａｎ、Ｄ２ｍｅａｎ、Ｄ３ｍｅａｎ及び外径，内径，奥側内径の各真円度）を得ることができる。
【００７２】
よって、円筒体の熱間鍛造に際しては、一定角度回転が繰り返されて熱間円筒形ワーク２１が半周回転する毎に、熱間円筒形ワーク２１の全周にわたる形状を示す径寸法情報を知ることができる。したがって、これらの径寸法情報に基づいて、プレス機のオペレータによるプレス圧下量やワーク回転角度の設定、また、鍛造終了時期の見極めを行うことができるので、寸法精度の良い熱間鍛造円筒体品を得ることができる。
【００７３】
なお、この第１実施形態では、後述の第２実施形態に比べて、高価なＣＣＤカメラ７が１台ですむという利点もある。
【００７４】
図１１は本発明の第２実施形態による熱間円筒形ワークの形状計測装置の全体構成を示す図である。１台のＣＣＤカメラ７を移動させるのでなく、２台のＣＣＤカメラ９，１０を用いて、熱間円筒形ワーク２１の円環形正面視形状をステレオ撮像する点以外は、前記第１実施形態の構成と同じなので、両実施形態の共通する部分には同一の符号を付してその説明を省略し、異なる点について説明する。
【００７５】
図１１において、９は熱間円筒形ワーク２１の一方の端部側の方に配置され、赤外透過フィルタ９ａが装着され、熱間円筒形ワーク２１の円環形正面視形状を撮像するための第１のＣＣＤカメラ（第１の撮像装置）である。また、１０は熱間円筒形ワーク２１に対する視差が生じるように第１のＣＣＤカメラ９に対してその右側（図１１における紙面奥側）に所定距離離れた位置に配置され、赤外透過フィルタ１０ａが装着されて、熱間円筒形ワーク２１の円環形正面視形状を撮像する第２のＣＣＤカメラ（第２の撮像装置）である。
【００７６】
２’は画像撮像部である。画像撮像部２’は、ＣＣＤカメラ９，１０に同時に撮像指令を与えて、一定角度回転される毎の熱間円筒形ワーク２１の円環形正面視形状をステレオ撮像して第１のＣＣＤカメラ９による左画像ＶＬと第２のＣＣＤカメラ１０による右画像ＶＲとを得て格納するものである。画像計測部１における画像撮像部２’以外の各部の構成は、第１実施形態の構成と同一である。
【００７７】
この第２実施形態による形状計測装置は、一定角度回転される毎の熱間円筒形ワーク２１について、２台のＣＣＤカメラ９，１０を用いて、熱間円筒形ワーク２１の円環形正面視形状をステレオ撮像し、第１のＣＣＤカメラ９による左画像と第２のＣＣＤカメラ１０による右画像とにおける対応する特徴点（外径エッジ点，内径エッジ点，奥側内径エッジ点）をそれぞれ検出し、これらの対応する特徴点からステレオ法に基づいて熱間円筒形ワーク２１の径寸法計測値である外径寸法Ｄ１、内径寸法Ｄ２及び奥側内径寸法Ｄ３を求めるように構成されている。よって、高温の熱間円筒形ワーク２１について外径寸法Ｄ１のみならず内径寸法Ｄ２，Ｄ３をも計測することができるとともに、熱間円筒形ワーク２１が一回転でなく半周回転することで熱間円筒形ワーク２１の全周にわたる形状を示す径寸法情報（Ｄ１ｉ，Ｄ２ｉ，Ｄ３ｉ，ｉ＝１〜Ｎ、Ｄ１ｍｅａｎ、Ｄ２ｍｅａｎ、Ｄ３ｍｅａｎ及び外径，内径，奥側内径の各真円度）を得ることができる。
【００７８】
また、ＣＣＤカメラを移動させることなくステレオ撮像が可能なことから、リアルタイム計測を行うことができる。これにより、熱間円筒形ワーク２１の計測用の撮像を行うために、プレス機２４による熱間円筒形ワーク２１の加圧工程、あるいは熱間円筒形ワーク２１を一定角度回転させる工程の開始を遅らせなくてすむ。
【００７９】
よって、円筒体の熱間鍛造に際しては、一定角度回転が繰り返されて熱間円筒形ワーク２１が半周回転する毎に、熱間円筒形ワーク２１の全周にわたる形状を示す径寸法情報を知ることができる。したがって、これらの径寸法情報に基づいて、プレス機のオペレータによるプレス圧下量やワーク回転角度の設定、また、鍛造終了時期の見極めを行うことができるので、寸法精度の良い熱間鍛造円筒体品を得ることができる。さらに、２台のＣＣＤカメラ９，１０によるステレオ撮像によってリアルタイム計測を行うことができるので、形状計測のために熱間鍛造にかかる工程が遅れることがなく、より生産性良く熱間鍛造を行うことができる。
【００８０】
なお、前記第１、第２の実施形態では、撮像装置（ＣＣＤカメラ）により、熱間円筒形ワーク２１の一方の端部側からの円環形正面視形状を撮像するようにしたが、これに限定されず、本発明では、撮像装置により、熱間円筒形ワーク２１の両方の端部側それぞれからの円環形正面視形状を撮像するようにしてもよい。こうすることで、熱間円筒形ワーク２１のより正確な全体形状を知ることができる。
【図面の簡単な説明】
【００８１】
【図１】本発明が適用される円筒体の熱間鍛造を説明するための図であって、その（ａ）は側面図、その（ｂ）は正面図である。
【図２】図１と同じく、本発明が適用される円筒体の熱間鍛造を説明するための図である。
【図３】本発明の第１実施形態による熱間円筒形ワークの形状計測装置の全体構成を示す図である。
【図４】図３における赤外透過フィルタが装着されたＣＣＤカメラによる熱間円筒形ワークの円環形正面視形状の画像を説明するための模式図である。
【図５】外径エッジ検出ウィンドウの説明図であって、その（ａ）は左画像ＶＬに設定された外径エッジ検出ウィンドウＷＰL1，ＷＱL1の説明図、その（ｂ）は右画像ＶＲに設定された外径エッジ検出ウィンドウＷＰR1，ＷＱR1の説明図である。
【図６】内径エッジ検出ウィンドウの説明図であって、その（ａ）は左画像ＶＬに設定された内径エッジ検出ウィンドウＷＰL2，ＷＱL2の説明図、その（ｂ）は右画像ＶＲに設定された内径エッジ検出ウィンドウＷＰR2，ＷＱR2の説明図である。
【図７】奥側内径エッジ検出ウィンドウの説明図であって、その（ａ）は左画像ＶＬに設定された奥側内径エッジ検出ウィンドウＷＰL3，ＷＱL3の説明図、その（ｂ）は右画像ＶＲに設定された奥側内径エッジ検出ウィンドウＷＰR3，ＷＱR3の説明図である。
【図８】左画像ＶＬに設定された外径エッジ検出ウィンドウＷＰL1における外径左エッジ点ＰL1の検出を説明するための図である。
【図９】熱間円筒形ワークの外径寸法の求め方を説明するための図である。
【図１０】熱間円筒形ワークの全周にわたる径寸法情報の説明図である。
【図１１】本発明の第２実施形態による熱間円筒形ワークの形状計測装置の全体構成を示す図である。
【符号の説明】
【００８２】
１…画像計測部
２，２’…画像撮像部
３…特徴点検出部
４…径寸法算出部
５…全体形状算出部
６…表示部
７…ＣＣＤカメラ
７ａ…赤外透過フィルタ
９…第１のＣＣＤカメラ
９ａ…赤外透過フィルタ
１０…第２のＣＣＤカメラ
１０ａ…赤外透過フィルタ
８…移動機構
２１…熱間円筒形ワーク
２２…芯金
２３…芯金支持台
２４…プレス機
２５…ワーク回転用チェーン
ＶＬ…左画像
ＶＲ…右画像
【図１】
2005326178.tif 000013
【図２】
2005326178.tif 000014
【図３】
2005326178.tif 000015
【図４】
2005326178.tif 000016
【図５】
2005326178.tif 000017
【図６】
2005326178.tif 000018
【図７】
2005326178.tif 000019
【図８】
2005326178.tif 000020
【図９】
2005326178.tif 000021
【図１０】
2005326178.tif 000022
【図１１】
2005326178.tif 000023